(57)【特許請求の範囲】
【請求項１】
ユーザにより所有され、認証キー及び当該認証キーの有効期限を記憶可能な可搬ユニットと、
前記ユーザよりユーザ管理サーバにログインするための操作を受けた場合、入力されるユーザＩＤに基づいて、当該ユーザのログインを許可するか否かを判定する第１の判定手段と、
前記ユーザ管理サーバへのログインが許可された場合、前記可搬ユニットに記憶させるための認証キー及び当該認証キーの有効期限を生成し、前記可搬ユニットに記憶させる管理手段と、
前記ユーザより医療検査装置にログインするための操作を受けた場合、前記認証キー及び前記有効期限に基づいて、当該ユーザのログインを許可するか否かを判定する第２の判定手段と、
前記ユーザより前記ユーザ管理サーバからログアウトするための操作を受けた場合には、前記可搬ユニットに記憶された認証キーを無効化する無効化手段と、
を具備することを特徴するログイン管理システム。
【請求項２】
ユーザにより所有され、認証キー及び当該認証キーの有効期限を記憶する可搬ユニットと、
前記ユーザよりユーザ管理サーバにログインするための操作を受けた場合、入力されるユーザＩＤに基づいて、当該ユーザのログインを許可するか否かを判定する第１の判定手段と、
前記ユーザ管理サーバへのログインが許可された場合、前記可搬ユニットに記憶された前記認証キー及び前記有効期限を、ログインを許可する認証キー及びログインを許可する有効期間として記憶する管理手段と、
前記ユーザより医療検査装置にログインするための操作を受けた場合、前記可搬ユニットに記憶された前記認証キー及び前記有効期限と前記管理手段に記憶された認証キー及び有効期限とに基づいて、当該ユーザのログインを許可するか否かを判定する第２の判定手段と、
前記ユーザより前記ユーザ管理サーバからログアウトするための操作を受けた場合、前記可搬ユニットに記憶された認証キーを無効化する無効化手段と、
を具備することを特徴するログイン管理システム。
【請求項３】
認証キー及び当該認証キーの有効期限を記憶可能な可搬ユニットを所有したユーザによる医療検査装置へのログインを管理するログイン管理装置であって、
前記ユーザより当該ログイン管理装置にログインするための操作を受けた場合、入力されるユーザＩＤに基づいて、当該ユーザのログインを許可するか否かを判定する第１の判定手段と、
当該ログイン管理装置へのログインが許可された場合、当該ユーザが所有する前記可搬ユニットに記憶させるための認証キー及び当該認証キーの有効期限を生成し、前記可搬ユニットに記憶させる管理手段と、
前記ユーザより医療検査装置にログインするための操作を受けた場合、前記認証キー及び前記有効期限に基づいて、当該ユーザのログインを許可するか否かを判定する第２の判定手段と、
前記第２の判定手段による判定結果を、前記医療検査装置に通知する通知手段と、
前記ユーザより当該ログイン管理装置からログアウトするための操作を受けた場合、前記可搬ユニットに記憶された認証キーを無効化する無効化手段と、
を具備することを特徴するログイン管理装置。
【請求項４】
認証キー及び当該認証キーの有効期限を記憶する可搬ユニットを所有したユーザによる医療検査装置へのログインを管理するログイン管理装置であって、
前記ユーザより当該ログイン管理装置にログインするための操作を受けた場合、入力されるユーザＩＤに基づいて、当該ユーザのログインを許可するか否かを判定する第１の判定手段と、
当該ログイン管理装置へのログインが許可された場合、前記可搬ユニットに記憶された前記認証キー及び前記有効期限を、ログインを許可する認証キー及びログインを許可する有効期間として記憶する管理手段と、
前記ユーザより医療検査装置にログインするための操作を受けた場合、前記可搬ユニットに記憶された前記認証キー及び前記管理手段に記憶された認証キーと前記管理手段に記憶された前記有効期間とに基づいて、当該ユーザのログインを許可するか否かを判定する第２の判定手段と、
前記判定手段による判定結果を、前記医療検査装置に通知する通知手段と、
前記ユーザより当該ログイン管理装置からログアウトするための操作を受けた場合、前記可搬ユニットに記憶された認証キーを無効化する無効化手段と、
を具備することを特徴するログイン管理装置。
【請求項５】
ログイン管理装置へのログインが許可されたユーザが所有する可搬ユニットから、当該可搬ユニットに記憶された認証キー及び当該認証キーの有効期間を取得する取得手段と、
前記取得した認証キー及び有効期間を前記ログイン管理装置に送信すると共に、前記ログイン管理装置から当該認証キー及び有効期間が有効か否かの判定結果を受信する送受信手段と、
前記受信した判定結果に基づいて、当該ユーザのログインを許可するか否かを判定する判定手段と、
を具備することを特徴する医療検査装置。
【発明の詳細な説明】
【技術分野】
【０００１】
本発明は、医療検査装置へのユーザのログインを管理するためのログイン管理システムと、このログイン管理システムで使用されるログイン管理装置、医療検査装置および可搬ユニットに関する。
【背景技術】
【０００２】
医療検査装置では、患者情報の保護の面でセキュリティを確実に確保する必要があり、医療検査装置毎にユーザのログインを管理している。
【０００３】
医療検査装置では通常、ユーザ認証情報を利用してログインの管理を行なっている。すなわち、ログインを要求するユーザにユーザ認証情報を入力させ、この入力されたユーザ認証情報に基づいてユーザが使用権限を持つか否かを認証する。
【特許文献１】特開平７−３０６８３１号公報
【発明の開示】
【発明が解決しようとする課題】
【０００４】
以上のように従来の医療検査装置では、ユーザはログインしようとする毎にユーザ認証情報を入力しなければならなかった。
【０００５】
本発明はこのような事情を考慮してなされたものであり、その目的とするところは、使用権限を持たないユーザのログインを防止しながらも、医療検査装置へのログインするためのユーザの手間を軽減することを可能とすることにある。
【課題を解決するための手段】
【０００６】
請求項１に記載の発明は、ユーザにより所有され、認証キー及び当該認証キーの有効期限を記憶可能な可搬ユニットと、前記ユーザよりユーザ管理サーバにログインするための操作を受けた場合、入力されるユーザＩＤに基づいて、当該ユーザのログインを許可するか否かを判定する第１の判定手段と、前記ユーザ管理サーバへのログインが許可された場合、前記可搬ユニットに記憶させるための認証キー及び当該認証キーの有効期限を生成し、前記可搬ユニットに記憶させる管理手段と、前記ユーザより医療検査装置にログインするための操作を受けた場合、前記認証キー及び前記有効期限に基づいて、当該ユーザのログインを許可するか否かを判定する第２の判定手段と、前記ユーザより前記ユーザ管理サーバからログアウトするための操作を受けた場合には、前記可搬ユニットに記憶された認証キーを無効化する無効化手段と、を具備することを特徴するログイン管理システムである。
請求項２に記載の発明は、ユーザにより所有され、認証キー及び当該認証キーの有効期限を記憶する可搬ユニットと、前記ユーザよりユーザ管理サーバにログインするための操作を受けた場合、入力されるユーザＩＤに基づいて、当該ユーザのログインを許可するか否かを判定する第１の判定手段と、前記ユーザ管理サーバへのログインが許可された場合、前記可搬ユニットに記憶された前記認証キー及び前記有効期限を、ログインを許可する認証キー及びログインを許可する有効期間として記憶する管理手段と、前記ユーザより医療検査装置にログインするための操作を受けた場合、前記可搬ユニットに記憶された前記認証キー及び前記有効期限と前記管理手段に記憶された認証キー及び有効期限とに基づいて、当該ユーザのログインを許可するか否かを判定する第２の判定手段と、前記ユーザより前記ユーザ管理サーバからログアウトするための操作を受けた場合、前記可搬ユニットに記憶された認証キーを無効化する無効化手段と、を具備することを特徴するログイン管理システムである。
請求項３に記載の発明は、認証キー及び当該認証キーの有効期限を記憶可能な可搬ユニットを所有したユーザによる医療検査装置へのログインを管理するログイン管理装置であって、前記ユーザより当該ログイン管理装置にログインするための操作を受けた場合、入力されるユーザＩＤに基づいて、当該ユーザのログインを許可するか否かを判定する第１の判定手段と、当該ログイン管理装置へのログインが許可された場合、当該ユーザが所有する前記可搬ユニットに記憶させるための認証キー及び当該認証キーの有効期限を生成し、前記可搬ユニットに記憶させる管理手段と、前記ユーザより医療検査装置にログインするための操作を受けた場合、前記認証キー及び前記有効期限に基づいて、当該ユーザのログインを許可するか否かを判定する第２の判定手段と、前記第２の判定手段による判定結果を、前記医療検査装置に通知する通知手段と、前記ユーザより当該ログイン管理装置からログアウトするための操作を受けた場合、前記可搬ユニットに記憶された認証キーを無効化する無効化手段と、を具備することを特徴するログイン管理装置である。
請求項４に記載の発明は、認証キー及び当該認証キーの有効期限を記憶する可搬ユニットを所有したユーザによる医療検査装置へのログインを管理するログイン管理装置であって、前記ユーザより当該ログイン管理装置にログインするための操作を受けた場合、入力されるユーザＩＤに基づいて、当該ユーザのログインを許可するか否かを判定する第１の判定手段と、当該ログイン管理装置へのログインが許可された場合、前記可搬ユニットに記憶された前記認証キー及び前記有効期限を、ログインを許可する認証キー及びログインを許可する有効期間として記憶する管理手段と、前記ユーザより医療検査装置にログインするための操作を受けた場合、前記可搬ユニットに記憶された前記認証キー及び前記管理手段に記憶された認証キーと前記管理手段に記憶された前記有効期間とに基づいて、当該ユーザのログインを許可するか否かを判定する第２の判定手段と、前記判定手段による判定結果を、前記医療検査装置に通知する通知手段と、前記ユーザより当該ログイン管理装置からログアウトするための操作を受けた場合、前記可搬ユニットに記憶された認証キーを無効化する無効化手段と、を具備することを特徴するログイン管理装置である。
請求項５に記載の発明は、ログイン管理装置へのログインが許可されたユーザが所有する可搬ユニットから、当該可搬ユニットに記憶された認証キー及び当該認証キーの有効期間を取得する取得手段と、前記取得した認証キー及び有効期間を前記ログイン管理装置に送信すると共に、前記ログイン管理装置から当該認証キー及び有効期間が有効か否かの判定結果を受信する送受信手段と、前記受信した判定結果に基づいて、当該ユーザのログインを許可するか否かを判定する判定手段と、を具備することを特徴する医療検査装置である。
【発明の効果】
【００１１】
本発明によれば、使用権限を持たないユーザのログインを防止しながらも、医療検査装置へのログインするためのユーザの手間を軽減することが可能になる。
【発明を実施するための最良の形態】
【００１２】
以下、図面を参照して本発明の実施形態につき説明する。
【００１３】
（第１の実施形態）
図１は第１の実施形態に係るログイン管理システムの構成を示す図である。  
図１に示すログイン管理システムは、ユーザ管理サーバ１、可搬ユニット２および医療検査装置３を含む。ユーザ管理サーバ１および医療検査装置３は、例えば同一の病院内に設置され、例えばＬＡＮ（Local Area Network）を介して接続される。可搬ユニット２は、医療検査装置３の使用権限を有するユーザにより所有される。可搬ユニット２は、例えばBlueTooth(R)に準拠した無線通信などによりユーザ管理サーバ１および医療検査装置３と通信可能である。
【００１４】
ユーザ管理サーバ１は、認証キー管理コンポーネント１１を有する。可搬ユニット２は、認証キー保持コンポーネント２１を有する。医療検査装置３は、認証キー確認コンポーネント３１を有する。
【００１５】
認証キー管理コンポーネント１１は、ユーザ管理サーバ１に対するユーザのログイン（以下、ドメインログインと称する）のためにユーザの認証を行なう。認証キー管理コンポーネント１１は、可搬ユニット２に記憶される認証キーの有効化および無効化を行なう。認証キー管理コンポーネント１１は、認証キー確認コンポーネント３１からの要求に応じて認証キーの有効性の確認を行なう。
【００１６】
認証キー保持コンポーネント２１は、有効化された認証キーを記憶する。
【００１７】
認証キー確認コンポーネント３１は、医療検査装置３に対するユーザのログイン（以下、装置ログインと称する）の際に、認証キー保持コンポーネント２１からの認証キーの取得、認証キー管理コンポーネント１１への認証キーの有効性確認の要求、あるいは装置ログインの許否の判断などを行なう。
【００１８】
次に以上のように構成されたログイン管理システムの動作について説明する。  
図２は図１に示される各コンポーネントのドメインログイン時における連携の様子を示す図である。また図３はドメインログイン時のシーケンスを示すフローチャートである。
【００１９】
図２に示すように、ドメインログインをしようとするユーザは、ユーザ管理サーバ１にアクセスして、ドメインログインを要求する。この要求を受けたことに応じてユーザ管理サーバ１は、認証キー管理コンポーネント１１が図３に示すような処理を実行する。
【００２０】
ステップＳａ１において認証キー管理コンポーネント１１は、ユーザにより入力されるユーザＩＤおよびパスワードを利用してユーザ認証を行う。上記のユーザＩＤの入力は、ユーザが所有するＩＤカードからの読み取りにより行っても良いし、ＩＣカードのようにゲートを通過したことを自動認識する装置を用いてもよい。また、出退勤管理システムの出勤管理に連動してもよい。
【００２１】
ステップＳａ２において認証キー管理コンポーネント１１は、ステップＳａ１におけるユーザ認証に成功したか否かを確認する。そして認証キー管理コンポーネント１１は、ユーザ認証に成功した場合には、ステップＳａ２からステップＳａ３へ進む。なお、ユーザ認証に失敗した場合に認証キー管理コンポーネント１１は、以下に説明する処理を行うことなしにこの図３に示す処理を終了する。
【００２２】
ステップＳａ３において認証キー管理コンポーネント１１は、これから生成する認証キーの有効期限を決定する。
【００２３】
ステップＳａ４において認証キー管理コンポーネント１１は、ステップＳａ３で決定した有効期限を含めた認証キーを生成する。有効期限は、認証キーに含めずに認証キー管理コンポーネント１１が保持管理してもよい。認証キーには、ユーザ名やユーザ権限などのユーザ情報を含めてもよいし、ユーザ情報を認証キー管理コンポーネント１１が保持管理してもよい。
【００２４】
ステップＳａ５においては、認証キー管理コンポーネント１１から認証キー保持コンポーネント２１へと、ステップＳａ４で生成した認証キーを図２に示すように伝送する。
【００２５】
ステップＳａ６においては認証キー保持コンポーネント２１が、上記の伝送された認証キーを記憶する。
【００２６】
図４は図１に示される各コンポーネントの装置ログイン時における連携の様子を示す図である。また図５は装置ログイン時のシーケンスを示すフローチャートである。
【００２７】
ステップＳｂ１においては認証キー保持コンポーネント２１が、装置ログイン要求を検知する。例えば、可搬ユニット２の医療検査装置３への接近を無線通信で検知し、それを装置ログイン要求と検知する。装置ログイン要求の検知方法としては、認証キー保持コンポーネント２１へのユーザによる装置ログイン要求操作を検知しても良い。
【００２８】
ステップＳｂ２においては、認証キー保持コンポーネント２１から認証キー確認コンポーネント３１へと認証キーを通知する。
【００２９】
ステップＳｂ３においては、認証キー確認コンポーネント３１から認証キー管理コンポーネント１１へ、ステップＳｂ２で通知された認証キーの有効性を問い合わせる。
【００３０】
ステップＳｂ４においては認証キー管理コンポーネント１１が、問い合わせされた認証キーの有効性を判断する。有効性の判断には、認証キーが正しいものであるかどうかだけでなく、有効期限の判断を含めてもよい。さらには有効性の判断に、他の装置で認証キーが設定された制限数以上使われているかどうかの判断を含めてもよい。
【００３１】
ステップＳｂ５においては、認証キー管理コンポーネント１１から認証キー確認コンポーネント３１へと、有効性の判断結果を通知する。
【００３２】
ステップＳｂ６においては認証キー確認コンポーネント３１が、上記の通知された有効性の判断結果に基づいてステップＳｂ２で通知された認証キーが有効であるか否かを判断する。認証キーが有効である場合には認証キー確認コンポーネント３１は、ステップＳｂ６からステップＳｂ７へと進み、そうでない場合にはステップＳｂ８へ進む。
【００３３】
ステップＳｂ７において認証キー確認コンポーネント３１は、可搬ユニット２を所有するユーザが医療検査装置３へログインすることを許可する。
【００３４】
ステップＳｂ８において認証キー確認コンポーネント３１は、可搬ユニット２を所有するユーザが医療検査装置３へログインすることを許可しない。
【００３５】
図６は図１に示される各コンポーネントの装置ログアウト時における連携の様子を示す図である。また図７は装置ログアウト時のシーケンスを示すフローチャートである。
【００３６】
ステップＳｃ１においては認証キー保持コンポーネント２１が、装置ログアウト要求を検知する。例えば、可搬ユニット２が医療検査装置３から離れたことを無線通信で検知し、それを装置ログアウト要求として検知する。装置ログアウト要求の検知方法としては、認証キー保持コンポーネント２１へのユーザによる装置ログアウト要求操作でもよいし、医療検査装置へのユーザによる装置ログアウト要求操作を検知しても良い。
【００３７】
ステップＳｃ２においては、認証キー保持コンポーネント２１から認証キー確認コンポーネント３１へと装置ログアウトを要求する。
【００３８】
ステップＳｃ３においては医療検査装置３が、この装置ログアウト要求に応じてログアウト処理を開始する。
【００３９】
一方、ステップＳｃ４においては、認証キー確認コンポーネント３１が認証キー管理コンポーネント１１へと認証キーの使用終了を通知する。この認証キーの終了通知は、省略してもよい。
【００４０】
図８は図１に示される各コンポーネントの装置ログアウト時における連携の様子を示す図である。また図９はドメインログアウト時のシーケンスを示すフローチャートである。
【００４１】
ステップＳｄ１において認証キー管理コンポーネント１１は、ユーザによるドメインログアウト操作を受け付ける。ドメインログアウト操作は、ＩＤカードからの入力でもよいし、ＩＣカードのようにゲートを通過したことを自動認識する装置を用いてもよい。また、出退勤管理システムの退勤管理に連動してもよい。
【００４２】
ステップＳｄ２において認証キー管理コンポーネント１１は、認証キーの無効化を認証キー保持コンポーネント２１および認証キー確認コンポーネント３１に通知する。
【００４３】
ステップＳｄ３，Ｓｄ４，Ｓｄ５においては認証キー管理コンポーネント１１、認証キー保持コンポーネント２１および認証キー確認コンポーネント３１が、それぞれが上記のドメインログアウトを要求したユーザに関して管理している認証キーを無効にする。
【００４４】
なお、認証キー確認コンポーネント３１への認証キーの無効化の通知と、認証キー確認コンポーネント３１での認証キーの無効化とは省略しても良い。
【００４５】
このように第１の実施形態によれば、ユーザはドメインログインを行なっておけば、可搬ユニット２と医療検査装置３とを通信可能とすることで当該医療検査装置３への装置ログインを行なうことができる。このため、医療検査装置３に繰り返しログインする必要がある場合においても、ユーザはユーザＩＤおよびパスワードの入力を繰り返し入力する必要はない。また、複数の医療検査装置３にそれぞれ認証キー確認コンポーネント３１を備えるようにすれば、ユーザがこれら複数の医療検査装置３を使い分ける場合においても、ユーザはユーザＩＤおよびパスワードの入力を繰り返し入力する必要はない。従って、装置ログインに係わるユーザの負担が軽減される。
【００４６】
また第１の実施形態によれば、可搬ユニット２と医療検査装置３との通信インタフェースを無線として、可搬ユニット２と医療検査装置３とが近接したことに応じて自動的に装置ログインを行なうようにしているので、ユーザは装置ログインを要求する操作を行なう必要もない。
【００４７】
（第２の実施形態）
図１０は第２の実施形態に係るログイン管理システムの構成を示す図である。なお、図１０において図１と同一部分には同一符号を付し、その詳細な説明は省略する。
【００４８】
図１０に示すように第２の実施形態のログイン管理システムでは、ユーザ管理サーバ１を備えない。そして認証キー管理コンポーネント１１を医療検査装置４に備えている。
【００４９】
認証キー管理コンポーネント１１、認証キー保持コンポーネント２１および認証キー確認コンポーネント３１の間での処理のシーケンスは、前述した第１の実施形態と同様である。
【００５０】
このような第２の実施形態であっても、第１の実施形態と同様に装置ログインに係るユーザの負担を軽減できる。
【００５１】
なお、複数台の医療検査装置における装置ログインを管理するシステムとする場合、これらの医療検査装置のうちの１台をこの第２の実施形態における医療検査装置４とし、他を第１の実施形態における医療検査装置３としても良い。そして、医療検査装置３と医療検査装置４とを通信可能として、医療検査装置４を第１の実施形態におけるユーザ管理サーバ１としても機能させるようにすれば良い。
【００５２】
以上の各実施形態は、次のような種々の変形実施が可能である。  
認証キーは、毎回生成せずに認証キー管理コンポーネント１１に予め生成してあるものを用いてもよい。  
認証キーは、有効／無効に係わらずに認証キー保持コンポーネント２１に記憶させておいても良い。この場合には、認証キー保持コンポーネント２１に記憶されている認証キーを認証キー管理コンポーネント１１が読み出して、有効な認証キーとして保持管理しておくようにすることによって認証キーの有効化を行なうようにすれば良い。  
前記各実施形態のように認証キー保持コンポーネント２１に認証キーを記憶させることで認証キーの有効化を行なうのであれば、認証キー確認コンポーネント３１は認証キー保持コンポーネント２１に認証キーが記憶されているか否かに基づいて装置ログインを許可するか否かを決定するようにしても良い。このとき、認証キーを特定のルールにより作成するようにして、認証キー確認コンポーネント３１が認証キー保持コンポーネント２１に記憶された認証キーが上記のルールに従うか否かを確認するようにすれば、より高いセキュリティを確保できる。また、ドメインログイン時に、認証キーの有効性情報を認証キー管理コンポーネント１１から認証キー確認コンポーネント３１に通知しておき、その有効性情報を用いて認証キー確認コンポーネント３１が認証キーの有効性を判断してもよい。
【００５３】
可搬ユニット２とユーザ管理サーバ１、医療検査装置３または医療検査装置４との通信は、BlueTooth(R)以外の無線通信や赤外線通信によっても良いし、ネットワークやＵＳＢなどの有線通信によっても良い。あるいは、ユーザ管理サーバ１、医療検査装置３または医療検査装置４にカードスロットのような可搬ユニット２を装着するためのポートを備えて、ここに可搬ユニット２を装着することによって、ユーザ管理サーバ１、医療検査装置３または医療検査装置４の内部バスを介して可搬ユニット２との通信を行えるようにしても良い。  
認証キー保持コンポーネント２１が認証キー管理コンポーネント１１から認証キーを取得しても良い。  
認証キー確認コンポーネント３１が認証キー保持コンポーネント２１から認証キーを取得しても良い。この場合、認証キー確認コンポーネント３１が認証キーの取得を試みるためのトリガーは、前記各実施形態と同様に通信が可能となったこととしても良いし、医療検査装置３へのユーザによる装置ログイン要求操作でもよい。また、ユーザが医療検査装置３，４の椅子など特定の個所に触れることにより検知してもよい。また、ユーザＩＤおよびパスワードの入力、指紋認証、あるいはＩＣカードの読取りなどといった従来の装置ログイン操作でもよい。装置ログアウトを行なうトリガーも同様に、ユーザが医療検査装置の椅子など特定の個所から離れたことにより検知したり、従来の装置ログアウト操作を受け付けるなどのように変更できる。  
認証キー管理コンポーネント１１が、一定時間ごとにもしくは要求されたときに、認証キー確認コンポーネント３１に認証キーの使用状況を問い合わせても良い。
【００５４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５５】
【図１】本発明の第１の実施形態に係るログイン管理システムの構成を示す図。
【図２】図１に示される各コンポーネントのドメインログイン時における連携の様子を示す図。
【図３】図１に示されるログイン管理システムでのドメインログイン時のシーケンスを示すフローチャート。
【図４】図１に示される各コンポーネントの装置ログイン時における連携の様子を示す図。
【図５】図１に示されるログイン管理システムでの装置ログイン時のシーケンスを示すフローチャート。
【図６】図１に示される各コンポーネントの装置ログアウト時における連携の様子を示す図。
【図７】図１に示されるログイン管理システムでの装置ログアウト時のシーケンスを示すフローチャート。
【図８】図１に示される各コンポーネントの装置ログアウト時における連携の様子を示す図。
【図９】図１に示されるログイン管理システムでのドメインログアウト時のシーケンスを示すフローチャート。
【図１０】第２の実施形態に係るログイン管理システムの構成を示す図。
【符号の説明】
【００５６】
１…ユーザ管理サーバ、２…可搬ユニット、３，４…医療検査装置、１１…認証キー管理コンポーネント、２１…認証キー保持コンポーネント、３１…認証キー確認コンポーネント。
【図１】
0004776890.tif 000002
【図２】
0004776890.tif 000003
【図３】
0004776890.tif 000004
【図４】
0004776890.tif 000005
【図５】
0004776890.tif 000006
【図６】
0004776890.tif 000007
【図７】
0004776890.tif 000008
【図８】
0004776890.tif 000009
【図９】
0004776890.tif 000010
【図１０】
0004776890.tif 000011